【手続補正書】
【提出日】平成25年12月27日(2013.12.27)
【手続補正１】
【補正対象書類名】明細書
【補正対象項目名】０００８
【補正方法】変更
【補正の内容】
【０００８】
請求項１に記載の発明は、ベースシートと、前記ベースシート上に設けられた磁性塗料を硬化させることで得られる磁性層とを備える磁気シートの製造方法であって、転写シートに磁性塗料を塗布する塗布工程と、次に前記ベースシートを前記磁性塗料に重ね合わせる重ね合わせ工程と、次に前記転写シート、前記磁性塗料および前記ベースシートを重ね合わせた状態でロール状に巻き取りシートロールにする工程と、次に前記シートロールから前記転写シート、前記磁性塗料および前記ベースシートを引き出し、前記転写シートを前記磁性塗料より剥離させる剥離工程とを備えた製造方法である。
【手続補正２】
【補正対象書類名】明細書
【補正対象項目名】００１６
【補正方法】削除
【補正の内容】
【手続補正３】
【補正対象書類名】明細書
【補正対象項目名】００１８
【補正方法】変更
【補正の内容】
【００１８】
請求項３に記載の発明は、特に、前記ベースシートが透湿性フィルムであるので、磁性塗料中の水分や、溶剤等の液体成分が気化した際に、ベースシートを通って外部に排出することが可能となり、これにより、磁性層とベースシートとの間に気泡が残留することを防止でき、磁性層とベースシートとの密着力を向上させることができるという作用効果も有する。
【手続補正４】
【補正対象書類名】明細書
【補正対象項目名】００１９
【補正方法】変更
【補正の内容】
【００１９】
請求項４に記載の発明は、ベースシートと、前記ベースシート上に形成された磁性層とを備え、前記磁性層は樹脂と磁性体とを有し、前記磁性層はベースシート側よりもベースシートと接していない側の方が磁性体の含有率が高いもので、磁性層の表面側における磁気特性を向上させることができるという作用効果を有する。
【手続補正５】
【補正対象書類名】明細書
【補正対象項目名】００２０
【補正方法】変更
【補正の内容】
【００２０】
請求項５に記載の発明は、特に、前記ベースシートが透湿性フィルムであるもので、ベースシートと磁性層との間に気泡を存在させ難い構成となるので、磁性層とベースシートとの密着力を向上させることができるという作用効果を有する。
【手続補正６】
【補正対象書類名】明細書
【補正対象項目名】００２８
【補正方法】変更
【補正の内容】
【００２８】
ベースシート４は可撓性を有するシートであり、基材２３と接着層２４とからなる。基材２３は可撓性を有するシートである。また、接着層２４はコーティング材である。このコーティング材は、基材２３と磁性層３とを接着する機能を有する。なお、ベースシート４に透湿フィルムを用いてもよい。透湿フィルムとは、液体は通過させないが、湿気等の気体は通過させるフィルムであり、非常に細かな孔が多く形成された微多孔性のフィルムを用いている。そのような透湿フィルムは、例えば、特開平９−１７４７３８号公報に記載されているように公知である。
【手続補正７】
【補正対象書類名】明細書
【補正対象項目名】００４０
【補正方法】変更
【補正の内容】
【００４０】
硬化工程において、磁性塗料２内の液体成分等が蒸発する際に、その表面から大気中へ蒸発が生じる。このとき磁性塗料２の表面から一様に蒸発が生じるのではなく、現実的には蒸発に偏りが生じてしまう。このとき、磁性塗料２の表面にシート等を接触させずに大気を接触させている状態だと、表面には凹凸が生じやすい。しかし、転写シート１と接している面は転写シートに表面によって平滑に保たれる。そして、この面が完成時の磁気シートの磁性層３の表面となるため、この磁性層３の表面を平滑にすることができる。また、転写シート１、磁性塗料２およびベースシート４をシートロール１０の状態に巻き取るので、磁性塗料２中の磁性体２１の密度を高めることができ、磁気特性を向上させることができる。
【手続補正８】
【補正対象書類名】明細書
【補正対象項目名】００４１
【補正方法】変更
【補正の内容】
【００４１】
さらに、転写シート１に一般のＰＥＴフィルムではなく、透湿フィルムを用いれば、例えば、磁性塗料２が転写シート１の下面側になるような状態であっても、磁性塗料２内の液体成分が転写シート１を通過して蒸発することができるので、転写シート１と磁性塗料２との間に気泡が生じることを防ぐことができる。これにより、転写シート１上に塗布された磁性塗料２中の液体成分の蒸発状態、或いは固化状態の管理を厳しくしなくても、磁性層３と転写シート１との間に気泡が存在することを容易に防止することができ、磁性層３の表面を容易に平滑にすることができるという作用効果を有する。
【手続補正９】
【補正対象書類名】明細書
【補正対象項目名】００４２
【補正方法】変更
【補正の内容】
【００４２】
また、ベースシート４に透湿フィルムを用いれば、半硬化状態にある磁性塗料２中の液体成分が気化した際に、ベースシート４を通過することができる。これにより、ベースシート４と磁性塗料２との間に気体が留まることを防止でき、ベースシート４と磁性層３を密着させることができ、両者間の接着力を向上させることができる。
【手続補正１０】
【補正対象書類名】明細書
【補正対象項目名】００４４
【補正方法】変更
【補正の内容】
【００４４】
なお、磁性塗料２は重ね合わせ工程の前までに固体になるように半硬化されるが、完全に硬化させるのは重ね合わせ工程以降にしている。これは、ベースシート４に磁性塗料２を接着させる際に、完全に磁性塗料２を硬化させてその表面を化学的に安定させてしまうよりも、磁性塗料２の表面が活性した状態にある方が接着性が良いからである。特に、ベースシート４の接着層２４がカップリング剤のような働きによって接着させようとする場合などは、このように重ね合わせ工程以降に完全硬化をさせる方が好ましい。
【手続補正１１】
【補正対象書類名】明細書
【補正対象項目名】００４５
【補正方法】変更
【補正の内容】
【００４５】
磁性塗料２を完全に硬化させるのは、シートロール１０の状態で乾燥させながら行なっている。
【手続補正１２】
【補正対象書類名】明細書
【補正対象項目名】００４６
【補正方法】削除
【補正の内容】
【手続補正１３】
【補正対象書類名】明細書
【補正対象項目名】００４７
【補正方法】削除
【補正の内容】
【手続補正１４】
【補正対象書類名】特許請求の範囲
【補正対象項目名】全文
【補正方法】変更
【補正の内容】
【特許請求の範囲】
【請求項１】
ベースシートと、前記ベースシート上に設けられた磁性塗料を硬化させることで得られる磁性層とを備える磁気シートの製造方法であって、
転写シートに磁性塗料を塗布する塗布工程と、
次に前記ベースシートを前記磁性塗料に重ね合わせる重ね合わせ工程と、
次に前記転写シート、前記磁性塗料および前記ベースシートを重ね合わせた状態でロール状に巻き取りシートロールにする工程と、
次に前記シートロールから前記転写シート、前記磁性塗料および前記ベースシートを引き出し、前記転写シートを前記磁性塗料より剥離させる剥離工程と、
を備えた磁気シートの製造方法。
【請求項２】
前記磁性塗料は塗布工程においては液体であり、重ね合わせ工程を行うまでには固体になっているもので、
前記磁性塗料が前記転写シートに塗布されてから固体になるまでの間は、前記転写シートの磁性塗料が塗布された側を鉛直上方にした請求項１記載の磁気シートの製造方法。
【請求項３】
前記ベースシートが透湿性フィルムである請求項１または２に記載の磁気シートの製造方法。
【請求項４】
ベースシートと、
前記ベースシート上に形成された磁性層とを備え、
前記磁性層は樹脂と磁性体とを有し、
前記磁性層はベースシート側よりもベースシートと接していない側の方が磁性体の含有率が高い磁気シート。
【請求項５】
前記ベースシートが透湿性フィルムである請求項４記載の磁気シート。